【事件の表示】
　特願２００４−５６３２２６「消耗品及びこれを用いた印刷装置」拒絶査定不服審判事件〔平成１６年　７月１５日国際公開、ＷＯ２００４／０５８５０９、平成１８年　４月１３日国内公表、特表２００６−５１２２２４〕について、次のとおり審決する。
【結　論】
　本件審判の請求は、成り立たない。
【理　由】
第１．手続の経緯  
　本願は，２００３年１２月２３日（パリ条約による優先権主張外国庁受理２００２年１２月２４日，英国）を国際出願日とする出願であって，平成２１年３月２日付けで拒絶査定がなされ，これに対し，同年６月３日に拒絶査定不服審判の請求がなされると同時に特許請求の範囲を対象とする手続補正がなされた。
　その後，当審において，平成２２年９月９日付けで上記手続補正の却下の決定を行うとともに拒絶理由を通知したところ，平成２３年２月７日付けで特許請求の範囲を対象とする手続補正がなされた。
　
第２．当審で通知した拒絶理由
　平成２２年９月９日付けで通知した拒絶理由の概要は，以下のとおりである。
「本願の請求項に係る発明は，本願の優先日前に日本国内または外国において頒布された下記の刊行物に記載された発明に基づいて，その発明の属する技術の分野における通常の知識を有する者が容易に発明をすることができたものであるから，特許法第２９条第２項の規定により特許を受けることができない。 
 　１．特開２０００−２８１２６８号公報
 　２．特開平７−１５６４９９号公報
 　３．国際公開第０２／０５３３８９号」
　
第３．本願発明
　平成２３年２月７日付けでなされた手続補正は，特許請求の範囲を次のとおりに補正するものである。
　「【請求項１】複数の不透明な印刷可能領域を提供すると共に複数のラベルが予備成形された基材を備える一様積層テープを提供する消耗品を使用する印刷装置であって，前記消耗品は，予め定められたラベルの各々の印刷可能領域に関する情報を保持するタグを保持している，印刷装置において，画像を印刷するための印刷手段，前記情報を前記タグから無接触リンクを介して電磁波の形態で受け取るように構成されたタグリーダー，及び前記パラメータ情報を受け取り，この情報に従って前記印刷装置の作動を制御するプロセッサを含む，印刷装置。
　【請求項２】複数の不透明な印刷可能領域を提供すると共に複数のラベルが予備成形された基材を備える一様積層テープを提供する消耗品であって，予備成形されたラベルの各々の印刷可能領域を同定する情報を保持したタグ，及び前記情報を無接触リンクを介して電磁波の形態で伝送するための送信機を有する，消耗品。
　【請求項３】請求項２に記載の消耗品において，前記予備成形したラベルは，基材に取り外し自在に貼付したダイカットラベルである，消耗品。
　【請求項４】請求項２に記載の消耗品において，印刷可能領域は，幅及び高さの情報によって決定される，消耗品。」
　上記補正後の請求項１に係る発明を，以下「本願発明」という。
　
第４．当審の判断
１．刊行物記載事項
　当審で通知した拒絶理由に引用された特開２０００−２８１２６８号公報（以下「引用例」という。）には，図面とともに，次の事項が記載されている。
　ａ）「【０００１】
【発明の属する技術分野】本発明はロール状被印字媒体に係わり，特に被印字媒体装填時の装填ミスによる誤った印字発行を防止すると共に，装填された被印字媒体に適した印字エネルギー，印字フォームなどの印字制御情報を与えて印字装置が適正な制御指定を可能とするロール状被印字媒体に関する。」
　ｂ）「【０００７】また本発明は，印字フォーム情報あるいは印字すべき固定情報など，その被印字媒体の情報として大量のデータを記憶できるよにしたので，被印字媒体を装填した印字装置の表示部または，この印字装置へ印字データを送出する外部制御装置の表示部へ，装着した被印字媒体の用紙サイズ，プレ印刷，印字フォームなどの照合すると共に，操作者の入力操作を軽減させるロール状被印字媒体を提供する。」
　ｃ）「【００１４】
【発明の実施の形態】図１は被印字媒体を装填可能とした装填機構を装備した印字装置の全体概略図であって，この印字装置２は，装置フレーム３と，帯状の台紙４上に多数のラベル片５を仮着したラベル連続体（被印字媒体）６をロール状にしたロール状ラベル連続体（ロール状被印字媒体）を回転可能に装填するラベル連続体供給軸（装填機構）７と，サーマル印字ヘッド８およびプラテン９を有する印字機構１０と，剥離板１１を有する剥離機構１２と，台紙巻取り部１３と，熱転写用のカーボンリボン１４のカーボンリボン供給部１５と，カーボンリボン巻取部１６と，回転駆動モータ１７と，ラベル連続体６のセンサー１８と，リーダー部２０と，データ管理部２１と，ヘッド駆動回路２２と，警報発生回路２３と，被印字媒体種類データ入力機構の機能を備えた印字内容入力機構２４とを有している。
【００１５】図２は巻芯の断面図であり，仮想線で示したラベル連続体６は，紙類またはプラスチックなどの材質からなる中空部を形成した円柱状の巻芯２５に巻回してロール状ラベル連続体と成すものであるが，後述する非接触ＩＣユニット（以下ＩＣユニット）３０を巻芯２５の内包に設けておくものである。」
　ｄ）「【００１９】図３はラベル連続体供給軸の部分を説明する要部斜視図であって，その巻芯２５の内包には，ＩＣユニットが設けてある。（図２参照）ＩＣユニット３０には，後述する不揮発生メモリ（記憶手段）４０を有しており，この記憶手段４０に所定の情報として，前述した被印字媒体の種類，とくにラベルサイズ，ラベルの種類（材質など），ヘッドに与える印字エネルギー，固定印字情報，印刷色等々の種類が記憶されている。
【００２０】また，ラベル連続体供給軸７は，ＩＣユニット３０を読みとる電磁誘導式リーダー部２０が組み込まれてある。リーダー部２０は，ＩＣユニット３０に対して離間した状態で読み取りが可能に微弱な電波で伝送するものである。 
【００２１】リーダー部２０は，Ａ／Ｄコンバータと変復調器とを有して微弱な電波をＩＣユニット３０に発信することにより，ＩＣユニット３０のデータを読み取るようにしてある。リーダー部２０で受けたデータは，データ管理部２１に格納される。ＣＰＵ（中央制御部）２６は，メモリー，データ管理部２１，サーマルヘッド８の印字エネルギーなどをコントロールするプリンタ制御部２２，警報発生器２３，印字装置備えたキーボードなどの入力部２４さらにインターフェイス２７を管理するものである。」
　ｅ）「【００２６】データ管理部２１においては，印字内容入力機構（入力部）２４や外部制御装置２８からの印字データ又は印字装置２に記憶されている印字フォーマットを呼出して，ラベル情報としてのデータの内容と，リーダー部２０で読み取った情報とを比較し，いま装填されているラベル連続体６のラベルサイズ（幅及びピッチ），ラベルの種類（材質など），ヘッドに与える印字エネルギー，固定情報等々の各種データと，その種類が印字内容と適合するものであるか否かを判断する。この判断の結果，適合していれば，通常の印字操作を開始させ，適合していれば，警報発生機２３によりアラームを出すとともに表示部（図示せず）にメッセージを表示させる。また，ヘッド駆動回路２２を介して印字機構１０ににおける印字動作を停止させる。
【００２７】印字エネルギーの情報をＩＣユニット３０から読み取ることにより，その被印字媒体（ラベル片）の最適な印字エネルギーを与えることができる。また，固定情報をＩＣユニット３０から読み取ることにより，プリンタ内部に予め記憶されている印字情報としての印字フォーマットのデータを少なくてもよく，印字装置２のメモリー容量を少なくてもよい。」
　
　上記記載事項ａ〜ｅ及び図面の記載によれば，引用例には，次の発明（以下「引用発明」という）が記載されているといえる。 
　「帯状の台紙４上に多数のラベル片５を仮着したラベル連続体６をロール状にしたロール状ラベル連続体を回転可能に装填するラベル連続体供給軸７，サーマル印字ヘッド８とプラテン９を有する印字機構１０，データ管理部２１，ヘッド駆動回路２２，データ管理部２１やヘッド駆動回路２２を管理するＣＰＵ２６等を備えた印字装置であって，ロール状ラベル連続体の巻芯２５にはＩＣユニット３０が設けられ，ＩＣユニット３０内の記憶手段４０には，ラベルサイズ（幅及びピッチ）やラベルの種類等の情報が記憶されており，ラベル連続体供給軸７に組み込まれたリーダー部２０は，ＩＣユニット３０に電波を発信して，記憶手段４０に記憶されているデータを読み取り，該データがデータ管理部２１に格納されるようにしたもので，ラベル連続体に適した印字フォーマット等のデータがロール状ラベル連続体側から与えられるようにした印字装置。」
　
２．対比・判断
　本願発明と引用発明とを対比する。
　引用発明の「ロール状ラベル連続体」，「印字装置」，「ＩＣユニット３０」，「印字機構１０」，「リーダー部２０」及び「ＣＰＵ２６」は，それぞれ本願発明の「消耗品」，「印刷装置」，「タグ」，「印刷手段」，「タグリーダー」及び「プロセッサ」に相当する。
　引用発明のロール状ラベル連続体は，帯状の台紙４上に多数のラベル片５を仮着したラベル連続体６をロール状にしたものであるから，引用発明は，本願発明における「複数のラベルが予備成形された基材を備える一様積層テープを提供する消耗品」との要件を備える。
　引用発明は，ラベル連続体供給軸７に組み込まれたリーダー部２０が，ＩＣユニット３０に電波を発信して，ＩＣユニット３０内の記憶手段４０に記憶されているデータを読み取り，該データがデータ管理部２１に格納されるものであるから，本願発明における「情報をタグから無接触リンクを介して電磁波の形態で受け取るように構成されたタグリーダー」との要件を備える。
　引用発明は，ＣＰＵ２６がデータ管理部２１やヘッド駆動回路２２を管理するものであるから，本願発明における「パラメータ情報を受け取り，この情報に従って印刷装置の作動を制御するプロセッサ」との要件を備える。
　したがって，本願発明と引用発明は，本願発明の表記にできるだけしたがえば，
　「複数のラベルが予備成形された基材を備える一様積層テープを提供する消耗品を使用する印刷装置であって，前記消耗品は，ラベルに関する情報を保持するタグを保持している，印刷装置において，画像を印刷するための印刷手段，前記情報を前記タグから無接触リンクを介して電磁波の形態で受け取るように構成されたタグリーダー，及び前記パラメータ情報を受け取り，この情報に従って前記印刷装置の作動を制御するプロセッサを含む，印刷装置。」
の点で一致し，次の点で相違する。
［相違点］
　本願発明は，複数の不透明な印刷可能領域を提供するものであり，また，「ラベルに関する情報」は，予め定められたラベルの各々の印刷可能領域に関する情報であるのに対して，引用発明では，ラベル片５が不透明であることは明らかでなく，また，「ラベルに関する情報」は，ラベルサイズ（幅及びピッチ）やラベルの種類である点。
　上記相違点について検討する。紙やラベルに文字等を印刷する場合，印刷可能領域を設定したり，位置ずれによって印刷領域が紙やラベルからはみ出すことがないようにマージンを設定することは，従来からよく知られている（ラベルに印刷領域を設定したり，マージンを設定することは，例えば特開平１１−７８１２８号公報に示されている；段落００１１参照）。また，不透明なラベルに印刷することは，例を挙げるまでもなく，従来からよく知られている。引用発明において，各ラベル片５を不透明なものとし，ラベルに関する情報として，ラベルサイズ（幅及びピッチ）やラベルの種類の他に，各ラベルの印刷可能領域に関する情報を追加すること，すなわち上記相違点は，周知技術を参酌することにより，当業者が容易に想到し得たことである。
　以上のことから，本願発明は，引用発明及び周知技術に基づいて，当業者が容易に発明をすることができたものである。
　
３．むすび
　以上のとおり，本願発明は，引用発明及び周知技術に基づいて当業者が容易に発明をすることができたものであって，特許法第２９条第２項の規定により特許を受けることができないものであるから，本願の他の請求項に係る発明について検討するまでもなく，本願は拒絶されるべきものである。
　したがって，結論のとおり審決する。